(57)【要約】【課題】インタラクションの秘匿性が低いという問題を解決するスマートインタラクション方法、スマートインタラクション装置、スマート機器及びコンピュータ読み取り可能な記憶媒体を提供する。【解決手段】本発明のスマートインタラクション方法、スマートインタラクション装置、スマート機器及びコンピュータ読み取り可能な記憶媒体は、ユーザソーシャルソーシャルサークルに対応する、異なるユーザの配下にあるスマート機器を含むインタラクションサークルにおいて第１ユーザの配下にある第１スマート機器と、インタラクションサークルにおいて第２ユーザの配下にある第２スマート機器とのインタラクションを要求するための、第１ユーザが入力したインタラクション要求を受信するステップ２０１と、インタラクション要求に応じて第２スマート機器とのインタラクション接続を確立するステップ２０２とを含む。【選択図】図２
2019192292.tif 000002
【特許請求の範囲】
【請求項１】
第１スマート機器により実行されるスマートインタラクション方法であって、
ユーザソーシャルソーシャルサークルに対応する、異なるユーザの配下にあるスマート機器を含むインタラクションサークルにおいて第１ユーザの配下にある前記第１スマート機器と、前記インタラクションサークルにおいて第２ユーザの配下にある第２スマート機器とのインタラクションを要求するための、前記第１ユーザが入力したインタラクション要求を受信するステップと、
前記インタラクション要求に応じて前記第２スマート機器とのインタラクション接続を確立するステップとを含むことを特徴とするスマートインタラクション方法。
【請求項２】
前記インタラクション要求は、前記第２ユーザの識別子及び前記インタラクションサークルの識別子を含み、
前記インタラクション要求に応じて前記第２スマート機器とのインタラクション接続を確立するステップは、
前記インタラクション要求に応じて前記インタラクションサークルにおける前記第２ユーザの配下にある前記第２スマート機器を確定することと、
前記第２スマート機器とのインタラクション接続を確立することとを含むことを特徴とする請求項１に記載のスマートインタラクション方法。
【請求項３】
前記第１ユーザが入力したインタラクション要求を受信する前記ステップは、
前記第１ユーザがユーザに前記インタラクションサークル内のスマート機器間のインタラクション機能を提供するページであるインタラクションサークルインタラクションページで入力したインタラクション要求を受信することを含むことを特徴とする請求項１に記載のスマートインタラクション方法。
【請求項４】
前記第１ユーザが入力したインタラクション要求を受信する前記ステップの前に、さらに、
前記インタラクションサークルの確立を申請するための、前記第１ユーザが入力した確立要求を受信するステップと、
前記確立要求に応じて、前記インタラクションサークルを確立するステップとを含むことを特徴とする請求項１に記載のスマートインタラクション方法。
【請求項５】
前記第１ユーザが入力した確立要求を受信する前記ステップは、
前記第１ユーザがユーザにインタラクションサークル確立機能を提供するページであるインタラクションサークル確立ページで入力した確立要求を受信することを含むことを特徴とする請求項４に記載のスマートインタラクション方法。
【請求項６】
前記確立要求に応じて前記インタラクションサークルを確立する前記ステップの後、さらに、
前記第２スマート機器の識別子を含み、前記第２スマート機器を前記インタラクションサークルに加入するように招待するための、前記第１ユーザが入力した招待要求を受信するステップと、
前記招待要求に応じて、前記第２スマート機器を前記インタラクションサークルに加入するように招待するステップとを含むことを特徴とする請求項４に記載のスマートインタラクション方法。
【請求項７】
前記第１ユーザが入力した招待要求を受信する前記ステップは、
前記第１ユーザがユーザにスマート機器招待機能を提供するためのページであるインタラクションサークル招待ページで入力した招待要求を受信することを含むことを特徴とする請求項６に記載のスマートインタラクション方法。
【請求項８】
第１ユーザが入力したインタラクション要求を受信する前記ステップの前に、さらに、
前記インタラクションサークルの識別子を含み、前記第１スマート機器が前記インタラクションサークルに加入するように要求するための、前記第１ユーザが入力した申請要求を受信するステップと、
前記申請要求に応じて、前記第１スマート機器を前記インタラクションサークルに加入させるステップとを含むことを特徴とする請求項１に記載のスマートインタラクション方法。
【請求項９】
前記第１ユーザが入力した申請要求を受信する前記ステップは、
前記第１ユーザがユーザに前記インタラクションサークルへのスマート機器加入機能を提供するためのページであるインタラクションサークル申請ページで入力した申請要求を受信することを含むことを特徴とする請求項８に記載のスマートインタラクション方法。
【請求項１０】
前記スマートインタラクション方法は、さらに、
前記インタラクションサークルの管理を要求するための、前記第１ユーザが入力した管理要求を受信するステップと、
前記管理要求に応じて前記インタラクションサークルを管理するステップとを含むことを特徴とする請求項１〜９のいずれか１項に記載のスマートインタラクション方法。
【請求項１１】
前記第１ユーザが入力した管理要求を受信する前記ステップは、
前記第１ユーザがユーザにインタラクションサークル管理機能を提供するためのページであるインタラクションサークル管理ページで入力した管理要求を受信することを含むことを特徴とする請求項１０に記載のスマートインタラクション方法。
【請求項１２】
第１スマート機器に適用されるスマートインタラクション装置であって、
ユーザソーシャルソーシャルサークルに対応する、異なるユーザの配下にあるスマート機器を含むインタラクションサークルにおいて第１ユーザの配下にある前記第１スマート機器と、前記インタラクションサークルにおいて第２ユーザの配下にある第２スマート機器とのインタラクションを要求するための、前記第１ユーザが入力したインタラクション要求を受信するための受信モジュールと、
前記インタラクション要求に応じて前記第２スマート機器とのインタラクション接続を確立するためのインタラクションモジュールとを含むことを特徴とするスマートインタラクション装置。
【請求項１３】
前記インタラクション要求は、前記第２ユーザの識別子及び前記インタラクションサークルの識別子を含み、
前記インタラクションモジュールは、具体的には、
前記インタラクション要求に応じて前記インタラクションサークルにおける前記第２ユーザの配下にある前記第２スマート機器を確定し、前記第２スマート機器とのインタラクション接続を確立するために用いられることを特徴とする請求項１２に記載のスマートインタラクション装置。
【請求項１４】
前記受信モジュールは、具体的には、
前記第１ユーザがユーザにインタラクションサークル内のスマート機器間のインタラクション機能を提供するページであるインタラクションサークルインタラクションページで入力したインタラクション要求を受信するために用いられることを特徴とする請求項１２に記載のスマートインタラクション装置。
【請求項１５】
前記受信モジュールはさらに、前記インタラクションサークルの確立を申請するための、前記第１ユーザが入力した確立要求を受信するために用いられ、
前記スマートインタラクション装置はさらに、前記確立要求に応じて、前記インタラクションサークルを確立するための確立モジュールを含むことを特徴とする請求項１２に記載のスマートインタラクション装置。
【請求項１６】
前記受信モジュールが前記第１ユーザが入力した確立要求を受信するために用いられることは、具体的には、
前記第１ユーザがユーザにインタラクションサークル確立機能を提供するページであるインタラクションサークル確立ページで入力した確立要求を受信することを含むことを特徴とする請求項１５に記載のスマートインタラクション装置。
【請求項１７】
前記受信モジュールはさらに、前記第２スマート機器の識別子を含み、前記第２スマート機器を前記インタラクションサークルに加入するように招待するための、前記第１ユーザが入力した招待要求を受信するために用いられ、
前記スマートインタラクション装置はさらに、前記招待要求に応じて、前記第２スマート機器を前記インタラクションサークルに加入するように招待するための招待モジュールを含むことを特徴とする請求項１５に記載のスマートインタラクション装置。
【請求項１８】
前記受信モジュールが前記第１ユーザが入力した招待要求を受信するために用いられることは、具体的には、
前記第１ユーザがユーザにスマート機器招待機能を提供するためのページであるインタラクションサークル招待ページで入力した招待要求を受信することを含むことを特徴とする請求項１７に記載のスマートインタラクション装置。
【請求項１９】
前記受信モジュールはさらに、前記インタラクションサークルの識別子を含み、前記第１スマート機器が前記インタラクションサークルに加入するように要求するための、前記第１ユーザが入力した申請要求を受信するために用いられ、
前記スマートインタラクション装置はさらに、前記申請要求に応じて、前記第１スマート機器を前記インタラクションサークルに加入させるための加入モジュールを含むことを特徴とする請求項１２に記載のスマートインタラクション装置。
【請求項２０】
前記受信モジュールが前記第１ユーザが入力した申請要求を受信するために用いられることは、具体的には、
前記第１ユーザがユーザにインタラクションサークルへのスマート機器加入機能を提供するためのページであるインタラクションサークル申請ページで入力した申請要求を受信することを含むことを特徴とする請求項１９に記載のスマートインタラクション装置。
【請求項２１】
前記受信モジュールはさらに、前記インタラクションサークルの管理を要求するための、前記第１ユーザが入力した管理要求を受信するために用いられ、
前記スマートインタラクション装置はさらに、前記管理要求に応じて前記インタラクションサークルを管理するための管理モジュールを含むことを特徴とする請求項１２〜２０のいずれか１項に記載のスマートインタラクション装置。
【請求項２２】
前記受信モジュールが前記第１ユーザが入力した管理要求を受信するために用いられることは、具体的には、
前記第１ユーザがユーザにインタラクションサークル管理機能を提供するためのページであるインタラクションサークル管理ページで入力した管理要求を受信することを含むことを特徴とする請求項２１に記載のスマートインタラクション装置。
【請求項２３】
第１スマート機器であるスマート機器であって、
コンピュータコマンドを実行して請求項１〜請求項１１のいずれか１項に記載のスマートインタラクション方法を実行するプロセッサと、
前記コンピュータコマンドを記憶するためのメモリとを含むことを特徴とするスマート機器。
【請求項２４】
コンピュータ読み取り可能な記憶媒体であって、
前記記憶媒体内のコマンドが第１スマート機器により実行される時、該第１スマート機器に請求項１〜１１のいずれか１項に記載のスマートインタラクション方法を実行させることを特徴とするコンピュータ読み取り可能な記憶媒体。
【発明の詳細な説明】
【技術分野】
【０００１】
本発明は、人工知能技術の分野に関し、詳しく言えば、スマートインタラクション方法、スマートインタラクション装置、スマート機器及びコンピュータ読み取り可能な記憶媒体に関する。
【背景技術】
【０００２】
人工知能の爆発的な発展に伴い、スマート機器間でインタラクションを行うインタラクション需要が高まってきている。
【０００３】
従来技術では、スマート機器間のインタラクションは完全にユーザ関係に依存している。ユーザ１の配下にあるスマート機器はユーザ２に情報を送信でき、具体的には、ユーザ１の配下にあるスマート機器はユーザ２がいるスマート機器に情報を送信し、ユーザ２がいるスマート機器が当該情報を受信した後、ユーザ２の配下にある全てのスマート機器はいずれも当該情報を呈示する。すなわち、送信側ユーザの配下にあるスマート機器によって送信された情報は受信側ユーザがいるスマート機器に送信され、且つ受信側ユーザの配下にある全てのスマート機器により呈示される。
【０００４】
しかしながら、受信側ユーザの配下にある全てのスマート機器がいずれも送信側ユーザの配下にあるスマート機器によって送信された情報を呈示するため、インタラクションの秘匿性が低いという問題がある。
【発明の概要】
【発明が解決しようとする課題】
【０００５】
本発明の実施例は、従来技術ではインタラクションの秘匿性が低いという問題を解決するために、スマートインタラクション方法、スマートインタラクション装置、スマート機器及びコンピュータ読み取り可能な記憶媒体を提供する。
【課題を解決するための手段】
【０００６】
第１態様によれば、本発明の実施例にて提供されるスマートインタラクション方法は、第１スマート機器により実行され、ユーザソーシャルサークルに対応する、異なるユーザの配下にあるスマート機器を含むインタラクションサークルにおいて第１ユーザの配下にある前記第１スマート機器と、前記インタラクションサークルにおいて第２ユーザの配下にある第２スマート機器とのインタラクションを要求するための、第１ユーザが入力したインタラクション要求を受信するステップと、前記インタラクション要求に応じて前記第２スマート機器とのインタラクション接続を確立するステップとを含む。
【０００７】
実現可能性がある一つの設計においては、前記インタラクション要求は、前記第２ユーザの識別子及び前記インタラクションサークルの識別子を含み、前記インタラクション要求に応じて前記第２スマート機器とのインタラクション接続を確立するステップは、前記インタラクション要求に応じて前記インタラクションサークルにおいて前記第２ユーザの配下にある前記第２スマート機器を確定することと、前記第２スマート機器とのインタラクション接続を確立することとを含む。
【０００８】
実現可能性がある一つの設計においては、第１ユーザが入力したインタラクション要求を受信する前記ステップは、前記第１ユーザがユーザにインタラクションサークル内のスマート機器間のインタラクション機能を提供するページであるインタラクションサークルインタラクションページで入力したインタラクション要求を受信することを含む。
【０００９】
実現可能性がある一つの設計においては、前記第１ユーザが入力したインタラクション要求を受信する前記ステップの前に、さらに、前記インタラクションサークルの確立を申請するための、前記第１ユーザが入力した確立要求を受信するステップと、前記確立要求に応じて、前記インタラクションサークルを確立するステップとを含む。
【００１０】
実現可能性がある一つの設計においては、前記第１ユーザが入力した確立要求を受信する前記ステップは、前記第１ユーザがユーザにインタラクションサークル確立機能を提供するページであるインタラクションサークル確立ページで入力した確立要求を受信することを含む。
【００１１】
実現可能性がある一つの設計においては、前記確立要求に応じて前記インタラクションサークルを確立する前記ステップの後、さらに、前記第２スマート機器の識別子を含み、前記第２スマート機器を前記インタラクションサークルに加入するように招待するための、前記第１ユーザが入力した招待要求を受信するステップと、前記招待要求に応じて、前記第２スマート機器を前記インタラクションサークルに加入するように招待するステップとを含む。
【００１２】
実現可能性がある一つの設計においては、前記第１ユーザが入力した招待要求を受信する前記ステップは、前記第１ユーザがユーザにスマート機器招待機能を提供するためのページであるインタラクションサークル招待ページで入力した招待要求を受信することを含む。
【００１３】
実現可能性がある一つの設計においては、第１ユーザが入力したインタラクション要求を受信する前記ステップの前に、さらに、前記インタラクションサークルの識別子を含み、前記第１スマート機器が前記インタラクションサークルに加入するように要求するための、前記第１ユーザが入力した申請要求を受信するステップと、前記申請要求に応じて、前記第１スマート機器を前記インタラクションサークルに加入させるステップとを含む。
【００１４】
実現可能性がある一つの設計においては、前記第１ユーザが入力した申請要求を受信する前記ステップは、前記第１ユーザがユーザに前記インタラクションサークルへのスマート機器加入機能を提供するためのページであるインタラクションサークル申請ページで入力した申請要求を受信することを含む。
【００１５】
実現可能性がある一つの設計においては、前記スマートインタラクション方法は、さらに、前記インタラクションサークルの管理を要求するための、前記第１ユーザが入力した管理要求を受信するステップと、前記管理要求に応じて前記インタラクションサークルを管理するステップとを含む。
【００１６】
実現可能性がある一つの設計においては、前記第１ユーザが入力した管理要求を受信する前記ステップは、前記第１ユーザがユーザにインタラクションサークル管理機能を提供するためのページであるインタラクションサークル管理ページで入力した管理要求を受信することを含む。
【００１７】
第２態様によれば、本発明の実施例にて提供されるスマートインタラクション装置は、第１スマート機器に適用され、ユーザソーシャルサークルに対応する、異なるユーザの配下にあるスマート機器を含むインタラクションサークルにおいて第１ユーザの配下にある前記第１スマート機器と、前記インタラクションサークルにおいて第２ユーザの配下にある第２スマート機器とのインタラクションを要求するための、前記第１ユーザが入力したインタラクション要求を受信するための受信モジュールと、前記インタラクション要求に応じて前記第２スマート機器とインタラクション接続を確立するためのインタラクションモジュールとを含む。
【００１８】
実現可能性がある一つの設計においては、前記インタラクション要求は、前記第２ユーザの識別子及び前記インタラクションサークルの識別子を含み、前記インタラクションモジュールは、具体的には、前記インタラクション要求に応じて前記インタラクションサークルにおいて前記第２ユーザの配下にある前記第２スマート機器を確定し、前記第２スマート機器とインタラクション接続を確立するために用いられる。
【００１９】
実現可能性がある一つの設計においては、前記受信モジュールは、具体的には、前記第１ユーザがユーザにインタラクションサークル内のスマート機器間のインタラクション機能を提供するページであるインタラクションサークルインタラクションページで入力したインタラクション要求を受信するために用いられる。
【００２０】
実現可能性がある一つの設計においては、前記受信モジュールはさらに、前記インタラクションサークルの確立を申請するための、前記第１ユーザが入力した確立要求を受信するために用いられ、前記スマートインタラクション装置はさらに、前記確立要求に応じて、前記インタラクションサークルを確立するための確立モジュールを含む。
【００２１】
実現可能性がある一つの設計においては、前記受信モジュールが前記第１ユーザが入力した確立要求を受信することは、具体的には、前記第１ユーザがユーザにインタラクションサークル確立機能を提供するページであるインタラクションサークル確立ページで入力した確立要求を受信することを含む。
【００２２】
実現可能性がある一つの設計においては、前記受信モジュールはさらに、前記第２スマート機器の識別子を含み、前記第２スマート機器を前記インタラクションサークルに加入するように招待するための、前記第１ユーザが入力した招待要求を受信するために用いられ、前記スマートインタラクション装置はさらに、前記招待要求に応じて、前記第２スマート機器を前記インタラクションサークルに加入するように招待するための招待モジュールを含む。
【００２３】
実現可能性がある一つの設計においては、前記受信モジュールが前記第１ユーザが入力した招待要求を受信することは、具体的には、前記第１ユーザがユーザにスマート機器招待機能を提供するためのページであるインタラクションサークル招待ページで入力した招待要求を受信することを含む。
【００２４】
実現可能性がある一つの設計においては、前記受信モジュールはさらに、前記インタラクションサークルの識別子を含み、前記第１スマート機器が前記インタラクションサークルに加入するように要求するための、前記第１ユーザが入力した申請要求を受信するために用いられ、前記スマートインタラクション装置はさらに、前記申請要求に応じて、前記第１スマート機器を前記インタラクションサークルに加入させるための加入モジュールを含む。
【００２５】
実現可能性がある一つの設計においては、前記受信モジュールが前記第１ユーザが入力した申請要求を受信することは、具体的には、前記第１ユーザがユーザにインタラクションサークルへのスマート機器加入機能を提供するためのページであるインタラクションサークル申請ページで入力した申請要求を受信することを含む。
【００２６】
実現可能性がある一つの設計においては、前記受信モジュールはさらに、前記インタラクションサークルの管理を要求するための、前記第１ユーザが入力した管理要求を受信するために用いられ、前記スマートインタラクション装置はさらに、前記管理要求に応じて前記インタラクションサークルを管理するための管理モジュールを含む。
【００２７】
実現可能性がある一つの設計においては、前記受信モジュールが前記第１ユーザが入力した管理要求を受信することは、具体的には、前記第１ユーザがユーザにインタラクションサークル管理機能を提供するためのページであるインタラクションサークル管理ページで入力した管理要求を受信することを含む。
【００２８】
第３態様によれば、本発明の実施例にて提供されるスマート機器は第１スマート機器であり、コンピュータコマンドを実行して上記第１態様のいずれか一つに記載のスマートインタラクション方法を実行するプロセッサと、前記コンピュータコマンドを記憶するためのメモリとを含む。
【００２９】
第４態様によれば、本発明の実施例にて提供されるコンピュータ読み取り可能な記憶媒体は、前記記憶媒体内のコマンドが第１スマート機器により実行される時、第１スマート機器に上記第１態様のいずれか一つに記載のスマートインタラクション方法を実行させることができる。
【発明の効果】
【００３０】
本発明に係るスマートインタラクション方法、スマートインタラクション装置、スマート機器及びコンピュータ読み取り可能な記憶媒体は、第１スマート機器が、ユーザソーシャルサークルに対応する、異なるユーザの配下にあるスマート機器を含むインタラクションサークルにおいて第１ユーザの配下にある前記第１スマート機器と、前記インタラクションサークルにおいて第２ユーザの配下にある第２スマート機器とのインタラクションを要求するための、第１ユーザが入力したインタラクション要求を受信し、第１スマート機器がインタラクション要求に応じて第２スマート機器とのインタラクション接続を確立することで、スマート機器間のインタラクションが完全にユーザ関係に依存するのではなく、インタラクションサークルと関係することになる。具体的には、１つのインタラクションサークルにおいて第１ユーザの配下にあるスマートユーザ機器は、当インタラクションサークルにおいて第２ユーザの配下にあるスマート機器とインタラクションを行うことができるが、当インタラクションサークル以外において第２ユーザの配下にあるスマート機器とはインタラクションを行わず、これによりインタラクションの秘匿性を向上させることができる。
【図面の簡単な説明】
【００３１】
本発明の実施例又は従来技術の技術的解決手段についてより明確に説明するために、以下、実施例又は従来技術の説明において必要な図面について簡潔に説明を行うが、当然ながら、以下に記載する図面は本発明の実施例の一部にすぎず、当業者であれば、創造的な労力を要することなく、これらの図面に基づき他の図面を想到し得る。
【図１Ａ】本発明の実施例に係るスマートインタラクション方法の適用シナリオの概略図である。
【図１Ｂ】本発明の実施例に係るインタラクションサークルの概略図である。
【図２】本発明の実施例に係るスマートインタラクション方法の実施例１のフローチャートである。
【図３】本発明の実施例に係るスマートインタラクション方法の実施例２のフローチャートである。
【図４Ａ】本発明の実施例に係るインタラクションサークルインタラクションページの概略図である。
【図４Ｂ】本発明の実施例に係るインタラクションサークルインタラクションページの概略図である。
【図４Ｃ】本発明の実施例に係るインタラクションサークルインタラクションページの概略図である。
【図４Ｄ】本発明の実施例に係るインタラクションサークルインタラクションページの概略図である。
【図５】本発明の実施例に係るスマートインタラクション装置の実施例の構造を示す概略図である。
【図６】本発明の実施例に係るスマート機器の構造を示す概略図である。
【発明を実施するための形態】
【００３２】
本発明の実施例の目的、技術的解決手段及び利点をさらに明確にするために、以下本発明の実施例の図面を参照しながら、本発明の実施例の技術的解決手段について明確に説明する。当然ながら、記載する実施例は本発明の一部に実施例にすぎず、全ての実施例ではない。本発明の実施例に基づき、当業者であれば創造的な労力を要さずに想到し得る他の実施例は、いずれも本発明の技術的範囲に属する。
【００３３】
図１Ａは本発明の実施例に係るスマートインタラクション方法の適用シナリオの概略図である。図１Ａに示すように、当該適用シナリオは第１スマート機器及び第２スマート機器を含んでもよい。ただし、第１スマート機器は第１ユーザの配下にあるスマート機器であり、第２スマート機器は第２ユーザの配下にあるスマート機器であり、且つ第１スマート機器及び第２スマート機器が同一のインタラクションサークルにおけるスマート機器である。
【００３４】
なお、インタラクションサークルは、第１ユーザの配下にある１つ又は複数のスマート機器を含んでもよく、インタラクションサークルに第１ユーザの配下にある１つのスマート機器を含む場合、第１スマート機器はすなわち当該スマート機器であり、インタラクションサークルに第１ユーザの配下にある複数のスマート機器を含む場合、第１スマート機器は複数のスマート機器のうちの１つであり得る。同様に、インタラクションサークルは、第２ユーザの配下にある１つ又は複数のスマート機器を含んでもよく、インタラクションサークルに第２ユーザの配下にある１つのスマート機器を含む場合、第２スマート機器はすなわち当該スマート機器であり、インタラクションサークルに第２ユーザの配下にある複数のスマート機器を含む場合、第２スマート機器は複数のスマート機器のうちの１つ又は複数であり得る。インタラクションサークルにはさらに第１ユーザ及び第２ユーザ以外の他のユーザの配下にあるスマート機器を含んでもよいことが理解されるであろう。
【００３５】
ただし、第１ユーザの配下にあるスマート機器は、識別子と第１ユーザのアカウントとの間にバインディング関係が存在するスマート機器として理解できるであろう。第２ユーザの配下にあるスマート機器は、識別子と第２ユーザのアカウントとの間にバインディング関係が存在するスマート機器として理解できるであろう。ただし、１つのユーザが１つのスマート機器を使って当該ユーザのアカウントにログインするとき、当該ユーザと当該スマート機器との間にバインディング関係が存在することを示すことができる。
【００３６】
ただし、インタラクションサークルはユーザソーシャルサークルに対応する、異なるユーザの配下にあるスマート機器を含む。例えば、ユーザ１の配下にある機器がスマート機器１及びスマート機器２を含み、ユーザ２の配下にある機器がスマート機器３及びスマート機器４を含み、ユーザ３の配下にある機器がスマート機器５及びスマート機器６を含み、ユーザ４の配下にある機器がスマート機器７及びスマート機器８を含み、ユーザ５の配下にある機器がスマート機器９及びスマート機器１０を含み、ユーザ６の配下にある機器がスマート機器１１及びスマート機器１２を含み、ユーザ７の配下にある機器がスマート機器１３を含み、且つ、ユーザ１、ユーザ２及びユーザ３が１つのユーザソーシャルサークルを構成し、ユーザ１、ユーザ４及びユーザ５が１つのユーザソーシャルサークルを構成し、ユーザ２、ユーザ３及びユーザ６が１つのユーザソーシャルサークルを構成し、ユーザ４、ユーザ５及びユーザ６が１つのユーザソーシャルサークルを構成すると仮定すると、ユーザの配下にあるスマート機器及びユーザソーシャルサークルとインタラクションサークルとの間の関係は図１Ｂに示すとおりであり得る。具体的には、インタラクションサークル１はユーザ１の配下にあるスマート機器１、ユーザ２の配下にあるスマート機器３及びユーザ３の配下にあるスマート機器５を含んでもよく、インタラクションサークル２はユーザ１の配下にあるスマート機器２、ユーザ４の配下にあるスマート機器７及びユーザ５の配下にあるスマート機器９を含んでもよく、インタラクションサークル３はユーザ２の配下にあるスマート機器４、ユーザ３の配下にあるスマート機器６及びユーザ６の配下にあるスマート機器１１及びスマート機器１２を含んでもよく、インタラクションサークル４はユーザ４の配下にあるスマート機器７、８、ユーザ５の配下にあるスマート機器９、１０及びユーザ７の配下にあるスマート機器１３を含んでもよい。
【００３７】
なお、図１Ｂでは、同じユーザが異なるユーザソーシャルサークルにおいて異なるスマート機器に対応することを例としているが、同じユーザが異なるユーザソーシャルサークルにおいてのスマート機器が同じでもよく、本発明はこれについて限定しない。
【００３８】
なお、１つのインタラクションサークルにおいて１つのユーザのスマート機器の数は１つ又は複数でもよく、本発明はこれについて限定しない。
【００３９】
選択的に、ユーザソーシャルサークルは具体的には家族関係を体現する家族ソーシャルサークル、又は仕事関係を体現する仕事ソーシャルサークルなどであり得る。
【００４０】
なお、１つのユーザの配下にあるスマート機器はそれぞれ１つ又は複数のインタラクションサークルにあってもよい。例えば、図１Ｂではユーザ１の配下にあるスマート機器はそれぞれ３つのインタラクションサークルにあり、ユーザ２、ユーザ３、ユーザ４及びユーザ５の配下にあるスマート機器はそれぞれ２つのインタラクションサークルに位置し、ユーザ６及びユーザ７の配下にあるスマート機器は１つのインタラクションサークルにある。選択的に、１つのユーザの配下にあるスマート機器があるインタラクションサークルの最大数は限定されてもよく、最大数は例えば３であってもいい。すなわち１つのユーザの配下にあるスマート機器はそれぞれ最大３つのインタラクションサークルにあってもよい。
【００４１】
選択的に、スマート機器は、スマートフォン、スマート冷蔵庫、スマートスピーカーなどの１つ又は複数を含んでもよい。スマートスピーカーは例えばディスプレイ付きスマートスピーカーでもよい。
【００４２】
図２は本発明の実施例に係るスマートインタラクション方法の実施例１のフローチャートである。本実施例のスマートインタラクション方法の実行主体は第１スマート機器でもよい。図２に示すように、本実施例の方法は、ステップ２０１とステップ２０２とを含んでもよい。
【００４３】
ステップ２０１において、第１スマート機器が、インタラクションサークルにおける第１ユーザの配下にある第１スマート機器とインタラクションサークルにおける第２ユーザの配下にある第２スマート機器とのインタラクションを要求するための、第１ユーザが入力したインタラクション要求を受信する。
【００４４】
本ステップでは、インタラクションサークルはユーザソーシャルサークルに対応する、異なるユーザの配下にあるスマート機器を含み、且つ同じユーザが異なるユーザソーシャルサークルにおいて異なるスマート機器に対応する。
【００４５】
例えば、図１Ｂに示すように、第１ユーザがユーザ１で、第１スマート機器がスマート機器１で、第２ユーザがユーザ２で、インタラクションサークルがインタラクションサークル１であると仮定すると、ユーザ１はスマート機器１とインタラクションサークル１におけるユーザ２の配下にあるスマート機器３とのインタラクションを要求できる。ここでは、スマート機器１はインタラクションサークル３におけるユーザ２の配下にあるスマート機器４とインタラクションを行わなくてもよく、スマート機器３はインタラクションサークル２におけるユーザ１の配下にあるスマート機器２とインタラクションを行わなくてもよい。ただし、スマート機器３は第２スマート機器として理解できるであろう。
【００４６】
また例えば、図１Ｂに示すように、第１ユーザがユーザ３で、第１スマート機器がスマート機器６で、第２ユーザがユーザ６で、インタラクションサークルがインタラクションサークル３であると仮定すると、ユーザ３はスマート機器６とインタラクションサークル３におけるユーザ６の配下にあるスマート機器１１及びスマート機器１２とのインタラクションを要求できる。ここでは、スマート機器１１及びスマート機器１２はインタラクションサークル１におけるユーザ３の配下にあるスマート機器５とインタラクションを行わなくてもよい。ただし、スマート機器１１及びスマート機器１２のいずれか１つ又は２つは第２スマート機器として理解できるであろう。すなわち、第２スマート機器の数は１つ又は複数でもよく、第１ユーザは１つのインタラクションサークルにおける第１スマート機器とインタラクションサークルにおける第２ユーザの配下にある１つ又は複数のスマート機器とのインタラクション接続を確立するように要求できる。ただし、第１ユーザが１つのインタラクションサークルにおける第１スマート機器とインタラクションサークルにおける第２ユーザの配下にある１つのスマート機器とのインタラクション接続を確立するように要求できることから、インタラクションの秘匿性をさらに向上でき、第１ユーザが１つのインタラクションサークルにおける第１スマート機器とインタラクションサークルにおける第２ユーザの配下にある複数のスマート機器とのインタラクション接続を確立するように要求できることから、インタラクションの利便性をさらに向上できる。
【００４７】
スマート機器間のインタラクションが完全にユーザ関係に依存するのではなく、インタラクションサークルに関係するになることが分かる。１つのインタラクションサークルにおける第１ユーザの配下にあるスマートユーザ機器は、インタラクションサークルにおける第２ユーザの配下にあるスマート機器とインタラクションを行うことができるが、インタラクションサークル以外における第２ユーザの配下にあるスマート機器とインタラクションを行わない。
【００４８】
なお、本発明はインタラクション要求の具体的な形式について限定しないが、例えば、音声形式のインタラクション要求、文字形式のインタラクション要求、タッチ形式のインタラクション要求などでもよい。
【００４９】
ステップ２０２、第１スマート機器がインタラクション要求に応じて第２スマート機器とインタラクション接続を確立する。
【００５０】
本ステップでは、選択的に、第１スマート機器は該インタラクション要求に応じて、インタラクション接続サポートを提供するインタラクションサーバによって第２スマート機器とインタラクション接続を確立できる。ただし、該インタラクションサーバは例えばビデオ通話サーバ、オーディオ通話サーバなどでもよい。
【００５１】
選択的に、クラウドサーバによるインタラクションに対する管理を実現するために、選択的に、ステップ２０２の前にさらに、第１スマート機器がクラウドサーバにインタラクション要求を送信し、且つクラウドサーバから送信されたインタラクションコマンドを受信した後、ステップ２０２を実行することを含んでもよい。ただし、クラウドサーバはインタラクション要求に対してベリファイなどの処理を行うことができる。本発明の実施例では、クラウドサーバは具体的にはスマート機器のインタラクションを管理するためのサーバでもよい。
【００５２】
なお、インタラクション接続は音声接続、ビデオ接続などでもよく、本発明はこれについて限定しない。
【００５３】
本実施例に係るスマートインタラクション方法は、第１スマート機器が、ユーザソーシャルサークルに対応する、異なるユーザの配下にあるスマート機器を含むインタラクションサークルにおける第１ユーザの配下にある第１スマート機器とインタラクションサークルにおける第２ユーザの配下にある第２スマート機器とのインタラクションを要求するための、第１ユーザが入力したインタラクション要求を受信し、第１スマート機器がインタラクション要求に応じて第２スマート機器とインタラクション接続を確立することで、スマート機器間のインタラクションが完全にユーザ関係に依存するのではなく、インタラクションサークルに関係するになる。具体的には、１つのインタラクションサークルにおける第１ユーザの配下にあるスマートユーザ機器は、インタラクションサークルにおける第２ユーザの配下にあるスマート機器とインタラクションを行うことができるが、インタラクションサークル以外における第２ユーザの配下にあるスマート機器とインタラクションを行わず、これによりインタラクションの秘匿性を向上させる。
【００５４】
図３は本発明の実施例に係るスマートインタラクション方法の実施例２のフローチャートである。本実施例は図２に示される実施例に加えて主に第１スマート機器がインタラクション要求に応じて第２スマート機器とインタラクション接続を確立する選択可能な実現形態について説明する。図３に示すように、本実施例の方法は、ステップ３０１と、ステップ３０２と、ステップ３０３とを含んでもよい。
【００５５】
ステップ３０１、第１スマート機器が、インタラクションサークルにおける第１ユーザの配下にある第１スマート機器とインタラクションサークルにおける第２ユーザの配下にある第２スマート機器とのインタラクションを要求するための、第１ユーザが入力したインタラクション要求を受信する。
【００５６】
本ステップでは、選択的に、インタラクション要求は第２ユーザの識別子及びインタラクションサークルの識別子を含む。ここでは、インタラクション要求が第２ユーザの識別子及びインタラクションサークルの識別子を含むことで、インタラクションサークルにおける第２ユーザの配下にあるスマート機器とのインタラクションを要求するよう指示することができる。
【００５７】
選択的に、第１スマート機器はインタラクションページによって第１ユーザが入力したインタラクション要求を受信できる。ただし、インタラクションページは例えばアプリケーションプログラム（Ａｐｐｌｉｃａｔｉｏｎ  Ｐｒｏｇｒａｍ、ＡＰＰ）ページなどでもよい。さらに選択的に、第１スマート機器は第１ユーザがユーザにインタラクションサークル内のスマート機器間のインタラクション機能を提供するページであるインタラクションサークルインタラクションページで入力したインタラクション要求を受信する。
【００５８】
選択的に、本発明の実施例では、第１スマート機器が第１ユーザに提供するインタラクションページは第１ユーザの配下にある第１スマート機器が属するインタラクションサークルにマッチングできる。具体的には、第１スマート機器が第１ユーザに提供するインタラクションサークルインタラクションページは第１ユーザの配下にある第１スマート機器が属するインタラクションサークルに対応できる。ここでは、第１スマート機器が第１ユーザに提供するインタラクションページが第１ユーザの配下にある第１スマート機器が属するインタラクションサークルにマッチングできることから、インタラクションページ内の情報のコンテンツを減らし、インタラクションページを簡略化でき、これによりユーザのインタラクション体験を向上させる。
【００５９】
選択的に、ユーザにインタラクションサークルにおけるスマート機器を表示するとき、スマート機器の機器名称及び/又は機器タイプを表示することができる。
【００６０】
例えば、図１Ｂに加えて、第１ユーザがユーザ４であり、第１スマート機器がスマート機器７であると仮定すると、第１スマート機器のインタラクションサークルインタラクションページは例えば図４Ａに示すとおりであり、さらに、ユーザ４がスマート機器２を選択するとき、スマート機器７がインタラクションサークル２におけるユーザ１の配下にあるスマート機器２とのインタラクションを要求することを示すことができる。さらに選択的に、ユーザを容易に確定するために、ユーザにスマート機器に対応するユーザを提示するよう図４Ａを改良でき、改良結果は例えば図４Ｂに示すとおりである。さらに選択的に、ユーザをさらに容易に確認するために、ユーザにスマート機器に対応するユーザのアバタを提示するよう図４Ｂを改良でき、改良結果は例えば図４Ｃに示すとおりである。さらに、ユーザ４がスマート機器２に対応するアバタを選択するとき、スマート機器７がインタラクションサークル２におけるユーザ１の配下にあるスマート機器２とのインタラクションを要求することを示すことができる。さらに選択的に、第２ユーザの配下にある第２スマートユーザ機器の数が複数でもよい場合、複数の第２スマート機器といずれもインタラクション接続を容易に確立するために、複数の第２スマート機器を一括して表示でき、したがって、図４Ｃを改良でき、改良結果は例えば図４Ｄに示すとおりである。さらに、ユーザ４がユーザ５に対応するアバタを選択するとき、スマート機器７がインタラクションサークル４におけるユーザ５の配下にあるスマート機器８及びスマート機器１０とのインタラクションを要求することを示すことができる。
【００６１】
なお、図４Ａ〜図４Ｄでは、スマート機器＊の機器名称がスマート機器＊であり、ユーザ＊の名前がユーザ＊であることを例とする。選択的に、図４Ａ〜図４Ｄではまたスマート機器の機器タイプの表示を追加してもよく、例えば図４Ａ〜図４Ｄではまたスマート機器の機器タイプに対応するアイコンなどを追加してもよい。
【００６２】
選択的に、第１ユーザはインタラクションページのメインページによって提供されるインタラクションサークルインタラクションページのポータルによってインタラクションサークルインタラクションページに進むことができる。ただし、インタラクションページのメインページは例えばＡＰＰのメインページでもよい。
【００６３】
選択的に、インタラクションサークルインタラクションページに他のインタラクションページのポータル、例えばインタラクションサークル管理ページのポータル、インタラクションサークル招待ページのポータル、インタラクションサークル申請ページのポータル又はインタラクションサークル確立ページのポータルなどの１種又は多種のポータルを提供することができる。
【００６４】
選択的に、インタラクションサークルインタラクションページの１つのインタラクションサークルにおけるスマート機器について、スマート機器がインタラクションサークルに加入する時間の順にスマート機器を左から右へソートすることができる。
【００６５】
選択的に、インタラクションサークルインタラクションページの複数のインタラクションサークルにおいて、自ら作成し且つメンバーを既に招待したインタラクションサークルは一番上に置くことができ、自ら作成しないインタラクションサークルはインタラクションサークルに加入する順で、自ら作成し且つメンバーを既に招待したインタラクションサークルの後に順次並び、自ら作成したがメンバーを招待しなかったインタラクションサークルは最後に並んでもよい。ここでいうメンバーはスマート機器として理解できるであろう。
【００６６】
ステップ３０２、第１スマート機器がインタラクション要求に応じてインタラクションサークルにおける第２ユーザの配下にある第２スマート機器を確定する。
【００６７】
本ステップでは、選択的に、第１スマート機器は第１スマート機器が属する各インタラクションサークルにおけるスマート機器とユーザとの対応関係を記憶でき、さらに、インタラクション要求に含まれる第２ユーザの識別子及びインタラクションサークルの識別子に応じて、第２スマート機器を確定でき、或いは、第１スマート機器はインタラクション要求をクラウドサーバに送信し、且つクラウドサーバが第１スマート機器が属する各インタラクションサークルにおけるスマート機器とユーザとの対応関係及びインタラクション要求に応じて返信した、第２スマート機器を指示するための指示情報を受信でき、或いは、インタラクション要求にはまた第２スマート機器の識別子を含んでもよく、第１スマート機器はインタラクション要求のみに応じて第２機器を要求することができる。
【００６８】
ステップ３０３、第１スマート機器が第２スマート機器とインタラクション接続を確立する。
【００６９】
本ステップでは、選択的に、第１スマート機器はインタラクション要求に応じて、インタラクション接続サポートを提供するインタラクションサーバによって第２スマート機器とインタラクション接続を確立できる。ただし、インタラクションサーバは例えばビデオ通話サーバ、オーディオ通話サーバなどでもよい。
【００７０】
本実施例に係るスマートインタラクション方法は、第１スマート機器が第１ユーザが入力した第２ユーザの識別子及びインタラクションサークルの識別子を含むインタラクション要求を受信し、第１スマート機器がインタラクション要求に応じてインタラクションサークルにおける第２ユーザの配下にある第２スマート機器を確定し、第１スマート機器が第２スマート機器とインタラクション接続を確立することで、第１スマート機器がインタラクション要求に応じて第２スマート機器とインタラクション接続を確立することを実現する。
【００７１】
選択的に、上記実施例では、インタラクションサークルは第１ユーザにより第１スマート機器を使って確立されてもよい。さらに選択的に、第１スマート機器が第１ユーザが入力したインタラクション要求を受信する前に、さらに、第１スマート機器がインタラクションサークルの確立を申請するための、第１ユーザが入力した確立要求を受信するステップと、第１スマート機器が確立要求に応じて、インタラクションサークルを確立するステップとを含んでもよい。
【００７２】
選択的に、確立要求は例えばインタラクションサークルの名称、インタラクションサークルの二次元コード、インタラクションサークルの番号などのインタラクションサークルの識別子を含んでもよい。確立要求にインタラクションサークルの識別子を含まない場合、インタラクションサークルの名称は例えば「私のインタラクションサークル」のようなデフォルト名称でもよい。
【００７３】
選択的に、第１スマート機器が確立要求に応じて、インタラクションサークルを確立するステップは、具体的には、第１スマート機器が確立要求に応じてクラウドサーバにインタラクションサークルの確立を要求するための要求メッセージを送信し、クラウドサーバが要求メッセージに応じて、インタラクションサークルを新しく確立し、且つインタラクションサークルにおける第１スマート機器と第１ユーザとの対応関係を記憶した後、第１スマート機器に応答情報を返信し、第１スマート機器が応答情報に応じてインタラクションサークルにおける第１スマート機器と第１ユーザとの対応関係を確定できることを含んでもよい。さらに選択的に、第１スマート機器はインタラクションサークルインタラクションページにジャンプしてインタラクションサークルの表示を更新することができる。
【００７４】
インタラクションサークルインタラクションページと同様に、選択的に、第１スマート機器が第１ユーザが入力した確立要求を受信するステップは、第１スマート機器が、第１ユーザがユーザにインタラクションサークル確立機能を提供するページであるインタラクションサークル確立ページで入力した確立要求を受信することを含む。
【００７５】
選択的に、インタラクションサークル確立ページはインタラクションサークル申請ページのポータルを提供することができる。
【００７６】
選択的に、第１スマート機器が確立要求に応じてインタラクションサークルを確立するステップの後、さらに、第１スマート機器が、第２スマート機器の識別子を含み、第２スマート機器をインタラクションサークルに加入するように招待するための、第１ユーザが入力した招待要求を受信するステップと、第１スマート機器が招待要求に応じて、第２スマート機器をインタラクションサークルに加入するように招待するステップとを含んでもよい。
【００７７】
選択的に、招待要求は第２スマート機器の識別子を含んでもよく、或いは、招待要求はインタラクションサークルの識別子を含んでもよい。ただし、第２スマート機器の識別子は例えば第２スマート機器の小度アカウントでもよい。
【００７８】
さらに選択的に、招待要求に第２スマート機器の識別子を含む場合、第２ユーザの配下にある第２スマート機器の検証を要求する形態で、第２スマート機器をインタラクションサークルに加入するように招待してもよい。対応して、第１スマート機器が招待要求に応じて、第２スマート機器をインタラクションサークルに加入するように招待するステップは、第１スマート機器が第２スマート機器の識別子をクラウドサーバに送信し、クラウドサーバから第２スマート機器に対応するユーザの情報を取得し、且つ第２スマート機器に対応するユーザの情報を表示でき、第１スマート機器がユーザが入力した発信コマンド（例えば、招待ボタンをクリックするコマンド）に応じて、第２スマート機器に招待を発信できることを含んでもよい。第２スマート機器が検証に合格した後、第１スマート機器はインタラクションサークルインタラクションページにジャンプしてインタラクションサークルの表示を更新でき、すなわち既に第２スマート機器をインタラクションサークルに加入させている。
【００７９】
選択的に、第２スマート機器がスマートフォンである場合、クラウドサーバから第２スマート機器に対応するユーザの情報を取得することは、具体的には第２ユーザのアバタ及びユーザ名を表示することを含んでもよい。第２スマート機器がスマートスピーカーである場合、クラウドサーバから第２スマート機器に対応するユーザの情報を取得することは具体的には第２スマート機器のデフォルトアイコン（ｉｃｏｎ）及び第２スマート機器の機器名を表示する表示することを含んでもよい。
【００８０】
さらに選択的に、招待要求にインタラクションサークルの識別子を含む場合、インタラクションサークルの識別子を第２ユーザの配下にある第２スマート機器に共有し、第２ユーザの配下にある第２スマート機器により申請する形態で、第２スマート機器をインタラクションサークルに加入するように招待してもよい。対応して、第１スマート機器が招待要求に応じて、第２スマート機器をインタラクションサークルに加入するように招待するステップは、第１スマート機器がインタラクションサークルの識別子を第２スマート機器に共有することを含んでもよい。
【００８１】
インタラクションサークルインタラクションページと同様に、選択的に、第１スマート機器が第１ユーザが入力した招待要求を受信するステップは、
第１スマート機器が、第１ユーザがユーザにスマート機器招待機能を提供するためのページであるインタラクションサークル招待ページで入力した招待要求を受信することを含む。
【００８２】
選択的に、インタラクションサークル招待ページにスマート機器検索欄を表示してもよく、ユーザはスマート機器検索欄に第２スマート機器の識別子を入力してもよい。
【００８３】
選択的に、インタラクションサークル招待ページはまた文字提示を表示してもよい。例えば、インタラクションサークルの識別子付近でユーザに「この番号を共有し、相手方が申請して検証に合格した後に加入できます」と提示してもよい。また例えば、ユーザが第１発信コマンドを入力した後、ユーザに「既に招待を発信し、相手方の検証を待っています」と提示してもよい。また例えば、ユーザがスマート機器検索欄に入力したスマート機器の識別子の形式が正しくないか又は入力が空である場合、ユーザに「正しい小度アカウントを入力してください」と提示してもよい。さらに例えば、スマート機器検索欄にインタラクションサークル内に既に存在するスマート機器の識別子を入力する場合、ユーザに「その機器は既にインタラクションサークル内にあります」と提示してもよい。
【００８４】
選択的に、第１ユーザは第１スマート機器がインタラクションサークルに加入するように申請してもよい。さらに選択的に、第１スマート機器が第１ユーザが入力したインタラクション要求を受信するステップの前に、さらに、第１スマート機器が、インタラクションサークルの識別子を含み、第１スマート機器がインタラクションサークルに加入するように要求するための、第１ユーザが入力した申請要求を受信するステップと、第１スマート機器が申請要求に応じて、第１スマート機器をインタラクションサークルに加入させるステップとを含んでもよい。
【００８５】
選択的に、第１スマート機器が申請要求に応じて、第１スマート機器をインタラクションサークルに加入させるステップは具体的には、第１スマート機器がインタラクションサークルの識別子をクラウドサーバに送信し、クラウドサーバからインタラクションサークルの識別子に対応するインタラクションサークル情報を取得し、且つインタラクションサークルの識別子に対応するインタラクションサークル情報を表示でき、第１スマート機器がユーザが入力した第２発信コマンド（例えば、申請ボタンをクリックするコマンド）に応じて、インタラクションサークルを確立したユーザの配下にあるスマート機器に申請を発信できることを含んでもよい。その後、インタラクションサークルを確立したユーザの配下にあるスマート機器が検証に合格した後、第１スマート機器はインタラクションサークル管理ページの表示にジャンプできる。すなわち既に第１スマート機器をインタラクションサークルに加入させている。
【００８６】
インタラクションサークルインタラクションページと同様に、選択的に、第１スマート機器が第１ユーザが入力した申請要求を受信するステップは、第１スマート機器が、第１ユーザがユーザにインタラクションサークルへのスマート機器加入機能を提供するためのページであるインタラクションサークル申請ページで入力した申請要求を受信することを含む。
【００８７】
選択的に、インタラクションサークル申請ページにインタラクションサークル検索欄を表示してもよく、ユーザはインタラクションサークル検索欄にインタラクションサークルの識別子を入力してもよい。
【００８８】
選択的に、インタラクションサークル申請ページにまた文字提示を表示してもよい。例えば、インタラクションサークル検索欄の付近でユーザに申請のステップ説明を提示してもよい。また例えば、ユーザが第２発信コマンドを入力した後、ユーザに「既に申請を送信し、相手方の検証を待っています」と提示してもよい。また例えば、ユーザがインタラクションサークル検索欄に入力したインタラクションサークルの番号の形式が正しくない場合、ユーザに「正しい番号を入力してください」と提示してもよい。さらに例えば、ユーザがインタラクションサークル検索欄に入力したインタラクションサークルの番号が存在しない場合、ユーザに「その番号は存在しません」と提示してもよい。
【００８９】
選択的に、上記実施例に加えて、さらに、第１スマート機器が、インタラクションサークルの管理を要求するための、第１ユーザが入力した管理要求を受信するステップと、第１スマート機器が、管理要求に応じてインタラクションサークルを管理するステップとを含んでもよい。
【００９０】
選択的に、管理要求は具体的には、第１スマート機器の機器名称を変更すること、第１ユーザの配下にある第１スマート機器が確立したインタラクションサークルの名称を変更すること、第１ユーザの配下にある第１スマート機器が確立したインタラクションサークルを解散すること、第１ユーザの配下にある第１スマート機器が確立したインタラクションサークルにおけるスマート機器を除去することなどに用いられてもよい。
【００９１】
選択的に、第１スマート機器が管理要求に応じてインタラクションサークルを管理するステップは、第１スマート機器が管理要求をクラウドサーバに送信し、クラウドサーバが管理要求に応じて記憶されている第１スマート機器が属する各インタラクションサークルにおけるスマート機器とユーザとの対応関係を更新し、且つ第１スマート機器に対応関係の更新結果が含まれる応答情報を返信し、第１スマート機器はその応答情報に応じてさらに、例えばローカルに記憶されている第１スマート機器が属する各インタラクションサークルにおけるスマート機器とユーザとの対応関係を更新し、或いは、インタラクションサークルインタラクションページの表示を更新するなどの処理を行ってもよい。
【００９２】
インタラクションサークルインタラクションページと同様に、選択的に、第１スマート機器が第１ユーザが入力した管理要求を受信するステップは、第１スマート機器が、第１ユーザがユーザにインタラクションサークル管理機能を提供するためのページであるインタラクションサークル管理ページで入力した管理要求を受信することを含む。
【００９３】
選択的に、インタラクションサークル管理ページにインタラクションサークル招待ページのポータルを提供してもよい。
【００９４】
選択的に、インタラクションサークル管理ページは多段管理ページを含み、例えば２段管理ページを含んでもよい。例えば、１段目の管理ページにインタラクションサークルに含まれるスマート機器の機器名称及び機器タイプを表示してもよく、ユーザがスマート機器の機器名称を選択すると、２段目の管理ページにスマート機器の機器名称を設置するインタフェースを表示してもよい。
【００９５】
図５は、本発明の実施例に係るスマートインタラクション装置の実施例の構造を示す概略図であり、本実施例に係るスマートインタラクション装置は上記方法の実施例に適用され、その第１スマート機器の機能を実現できる。図５に示すように、本実施例のスマートインタラクション装置は、受信モジュール５０１と、インタラクションモジュール５０２を含んでもよい。受信モジュール５０１は、ユーザソーシャルサークルに対応する、異なるユーザの配下にあるスマート機器を含むインタラクションサークルにおける第１ユーザの配下にある第１スマート機器とインタラクションサークルにおける第２ユーザの配下にある第２スマート機器とのインタラクションを要求するための、第１ユーザが入力したインタラクション要求を受信するために用いられる。インタラクションモジュール５０２は、インタラクション要求に応じて第２スマート機器とのインタラクション接続を確立するために用いられる。
【００９６】
実現可能性がある一つの設計においては、インタラクション要求は、第２ユーザの識別子及びインタラクションサークルの識別子を含み、インタラクションモジュール５０２は、具体的には、インタラクション要求に応じてインタラクションサークルにおいて第２ユーザの配下にある第２スマート機器を確定し、第２スマート機器とインタラクション接続を確立するために用いられる。
【００９７】
実現可能性がある一つの設計においては、受信モジュール５０１は、具体的には、第１ユーザがユーザにインタラクションサークル内のスマート機器間のインタラクション機能を提供するページであるインタラクションサークルインタラクションページで入力したインタラクション要求を受信するために用いられる。
【００９８】
実現可能性がある一つの設計においては、受信モジュール５０１はさらに、インタラクションサークルの確立を申請するための、第１ユーザが入力した確立要求を受信するために用いられる。本実施例に係るスマートインタラクション装置はさらに、確立要求に応じて、インタラクションサークルを確立するための確立モジュール５０３を含む。
【００９９】
実現可能性がある一つの設計においては、受信モジュール５０１が第１ユーザが入力した確立要求を受信することは、具体的には、第１ユーザがユーザにインタラクションサークル確立機能を提供するページであるインタラクションサークル確立ページで入力した確立要求を受信することを含む。
【０１００】
実現可能性がある一つの設計においては、受信モジュール５０１はさらに、第２スマート機器の識別子を含み、第２スマート機器をインタラクションサークルに加入するように招待するための、第１ユーザが入力した招待要求を受信するために用いられる。本実施例に係るスマートインタラクション装置はさらに、招待要求に応じて、第２スマート機器をインタラクションサークルに加入するように招待するための招待モジュール５０４を含む。
【０１０１】
実現可能性がある一つの設計においては、受信モジュール５０１が第１ユーザが入力した招待要求を受信することは、具体的には、第１ユーザがユーザにスマート機器招待機能を提供するためのページであるインタラクションサークル招待ページで入力した招待要求を受信することを含む。
【０１０２】
実現可能性がある一つの設計においては、受信モジュール５０１はさらに、インタラクションサークルの識別子を含み、第１スマート機器がインタラクションサークルに加入するように要求するための、第１ユーザが入力した申請要求を受信するために用いられ、本実施例に係るスマートインタラクション装置はさらに、申請要求に応じて、第１スマート機器をインタラクションサークルに加入させるための加入モジュール５０５を含む。
【０１０３】
実現可能性がある一つの設計においては、受信モジュール５０１が第１ユーザが入力した申請要求を受信することは、具体的には、第１ユーザがユーザにインタラクションサークルへのスマート機器加入機能を提供するためのページであるインタラクションサークル申請ページで入力した申請要求を受信することを含む。
【０１０４】
実現可能性がある一つの設計においては、受信モジュール５０１はさらに、インタラクションサークルの管理を要求するための、第１ユーザが入力した管理要求を受信するために用いられる。本実施例に係るスマートインタラクション装置はさらに、管理要求に応じてインタラクションサークルを管理するための管理モジュール５０６を含む。
【０１０５】
実現可能性がある一つの設計においては、受信モジュール５０１が第１ユーザが入力した管理要求を受信することは、具体的には、第１ユーザがユーザにインタラクションサークル管理機能を提供するためのページであるインタラクションサークル管理ページで入力した管理要求を受信することを含む。
【０１０６】
本実施例のスマートインタラクション装置は、上記スマートインタラクション方法に示される実施例の技術的解決手段を実行するために用いられてもよく、その実現原理及び技術的効果は同様であるため、ここでは説明を省略する。
【０１０７】
図６は本発明の実施例に係るスマート機器の構造を示す概略図であり、スマート機器は上記第１スマート機器に相当する。図６に示すように、スマート機器は、プロセッサ６０１及びコンピュータコマンドを記憶するためのメモリ６０２を含んでもよい。
【０１０８】
プロセッサ６０１は、該コンピュータコマンドを実行して、ユーザソーシャルサークルに対応する、異なるユーザの配下にあるスマート機器を含み、且つ同じユーザが異なるユーザソーシャルサークルにおいて異なるスマート機器に対応するインタラクションサークルにおいて第１ユーザの配下にある第１スマート機器と、インタラクションサークルにおいて第２ユーザの配下にある第２スマート機器とのインタラクションを要求するための、第１ユーザが入力したインタラクション要求を受信するステップと、インタラクション要求に応じて第２スマート機器とインタラクション接続を確立するステップとを含むスマートインタラクション方法を実行する。
【０１０９】
実現可能性がある一つの設計においては、インタラクション要求は、第２ユーザの識別子及びインタラクションサークルの識別子を含み、インタラクション要求に応じて第２スマート機器とインタラクション接続を確立するステップは、インタラクション要求に応じてインタラクションサークルにおける第２ユーザの配下にある第２スマート機器を確定することと、第２スマート機器とのインタラクション接続を確立することとを含む。
【０１１０】
実現可能性がある一つの設計においては、第１ユーザが入力したインタラクション要求を受信するステップは、第１ユーザがユーザにインタラクションサークル内のスマート機器間のインタラクション機能を提供するページであるインタラクションサークルインタラクションページで入力したインタラクション要求を受信することを含む。
【０１１１】
実現可能性がある一つの設計においては、第１ユーザが入力したインタラクション要求を受信するステップの前に、さらに、インタラクションサークルの確立を申請するための、第１ユーザが入力した確立要求を受信するステップと、確立要求に応じて、インタラクションサークルを確立するステップと、を含む。
【０１１２】
実現可能性がある一つの設計においては、第１ユーザが入力した確立要求を受信するステップは、第１ユーザがユーザにインタラクションサークル確立機能を提供するページであるインタラクションサークル確立ページで入力した確立要求を受信することを含む。
【０１１３】
実現可能性がある一つの設計においては、確立要求に応じてインタラクションサークルを確立するステップの後、さらに、第２スマート機器の識別子を含み、第２スマート機器をインタラクションサークルに加入するように招待するための、第１ユーザが入力した招待要求を受信するステップと、招待要求に応じて、第２スマート機器をインタラクションサークルに加入するように招待するステップとを含む。
【０１１４】
実現可能性がある一つの設計においては、第１ユーザが入力した招待要求を受信するステップは、第１ユーザがユーザにスマート機器招待機能を提供するためのページであるインタラクションサークル招待ページで入力した招待要求を受信することを含む。
【０１１５】
実現可能性がある一つの設計においては、第１ユーザが入力したインタラクション要求を受信するステップの前に、さらに、インタラクションサークルの識別子を含み、第１スマート機器がインタラクションサークルに加入するように要求するための、第１ユーザが入力した申請要求を受信するステップと、申請要求に応じて、第１スマート機器をインタラクションサークルに加入させるステップとを含む。
【０１１６】
実現可能性がある一つの設計においては、第１ユーザが入力した申請要求を受信するステップは、第１ユーザがユーザにインタラクションサークルへのスマート機器加入機能を提供するためのページであるインタラクションサークル申請ページで入力した申請要求を受信することを含む。
【０１１７】
実現可能性がある一つの設計においては、スマートインタラクション方法は、さらに、インタラクションサークルの管理を要求するための、第１ユーザが入力した管理要求を受信するステップと、管理要求に応じてインタラクションサークルを管理するステップとを含む。
【０１１８】
実現可能性がある一つの設計においては、第１ユーザが入力した管理要求を受信するステップは、第１ユーザがユーザにインタラクションサークル管理機能を提供するためのページであるインタラクションサークル管理ページで入力した管理要求を受信することを含む。
【０１１９】
本発明の実施例はさらにコンピュータ読み取り可能な記憶媒体を提供し、当該記憶媒体内のコマンドが第１スマート機器のプロセッサにより実行される時、第１スマート機器にスマートインタラクション方法を実行させることができる。当該スマートインタラクション方法は、ユーザソーシャルサークルに対応する、異なるユーザの配下にあるスマート機器を含み、且つ同じユーザが異なるユーザソーシャルサークルにおいて異なるスマート機器に対応するインタラクションサークルにおいて第１ユーザの配下にある第１スマート機器と、インタラクションサークルにおいて第２ユーザの配下にある第２スマート機器とのインタラクションを要求するための、第１ユーザが入力したインタラクション要求を受信するステップと、インタラクション要求に応じて第２スマート機器とインタラクション接続を確立するステップとを含む。
【０１２０】
実現可能性がある一つの設計においては、インタラクション要求は、第２ユーザの識別子及びインタラクションサークルの識別子を含み、インタラクション要求に応じて第２スマート機器とインタラクション接続を確立するステップは、インタラクション要求に応じてインタラクションサークルにおいて第２ユーザの配下にある第２スマート機器を確定することと、第２スマート機器とのインタラクション接続を確立することとを含む。
【０１２１】
実現可能性がある一つの設計においては、第１ユーザが入力したインタラクション要求を受信するステップは、第１ユーザがユーザにインタラクションサークル内のスマート機器間のインタラクション機能を提供するページであるインタラクションサークルインタラクションページで入力したインタラクション要求を受信することを含む。
【０１２２】
実現可能性がある一つの設計においては、第１ユーザが入力したインタラクション要求を受信するステップの前に、さらに、インタラクションサークルの確立を申請するための、第１ユーザが入力した確立要求を受信するステップと、確立要求に応じて、インタラクションサークルを確立するステップとを含む。
【０１２３】
実現可能性がある一つの設計においては、第１ユーザが入力した確立要求を受信するステップは、第１ユーザがユーザにインタラクションサークル確立機能を提供するページであるインタラクションサークル確立ページで入力した確立要求を受信することを含む。
【０１２４】
実現可能性がある一つの設計においては、確立要求に応じてインタラクションサークルを確立するステップの後、さらに、第２スマート機器の識別子を含み、第２スマート機器をインタラクションサークルに加入するように招待するための、第１ユーザが入力した招待要求を受信するステップと、招待要求に応じて、第２スマート機器をインタラクションサークルに加入するように招待するステップとを含む。
【０１２５】
実現可能性がある一つの設計においては、第１ユーザが入力した招待要求を受信するステップは、第１ユーザがユーザにスマート機器招待機能を提供するためのページであるインタラクションサークル招待ページで入力した招待要求を受信することを含む。
【０１２６】
実現可能性がある一つの設計においては、第１ユーザが入力したインタラクション要求を受信するステップの前に、さらに、インタラクションサークルの識別子を含み、第１スマート機器がインタラクションサークルに加入するように要求するための、第１ユーザが入力した申請要求を受信するステップと、申請要求に応じて、第１スマート機器をインタラクションサークルに加入させるステップとを含む。
【０１２７】
実現可能性がある一つの設計においては、第１ユーザが入力した申請要求を受信する前記ステップは、第１ユーザがユーザにインタラクションサークルへのスマート機器加入機能を提供するためのページであるインタラクションサークル申請ページで入力した申請要求を受信することを含む。
【０１２８】
実現可能性がある一つの設計においては、スマートインタラクション方法は、さらに、インタラクションサークルの管理を要求するための、第１ユーザが入力した管理要求を受信するステップと、管理要求に応じてインタラクションサークルを管理するステップとを含む。
【０１２９】
実現可能性がある一つの設計においては、第１ユーザが入力した管理要求を受信するステップは、第１ユーザがユーザにインタラクションサークル管理機能を提供するためのページであるインタラクションサークル管理ページで入力した管理要求を受信することを含む。
【０１３０】
当業者であれば理解できるように、上記各方法の実施例の全て又は一部のステップの実現はプログラムコマンドにより関連するハードウェアで完了できる。前述したプログラムはコンピュータで読み取り可能な記憶媒体に記憶されてもよい。プログラムを実行する際は、上記各方法の実施例を含むステップを実行する。前述した記憶媒体は、プログラムコードを記憶できるＲＯＭ、ＲＡＭ、磁気ディスク又は光ディスクなどの各種の媒体を含む。
【０１３１】
最後に説明すべきこととして、以上の各実施例は本発明の実施例の技術的解決手段の説明にすぎず、それを限定するものではない。前述した各実施例を参照して本発明の実施例について詳細に説明したが、当業者には明らかなように、依然として前述した各実施例に記載の技術的解決手段を変更し、又は技術的特徴の一部又は全てについて等価の置換を行うことができる。これらの変更又は等価の置換は、対応する技術的解決手段の本質を本発明の実施例の技術的解決手段の範囲から逸脱させるものではない。
【図１Ａ】
2019192292.tif 000003
【図１Ｂ】
2019192292.tif 000004
【図２】
2019192292.tif 000005
【図３】
2019192292.tif 000006
【図４Ａ】
2019192292.tif 000007
【図４Ｂ】
2019192292.tif 000008
【図４Ｃ】
2019192292.tif 000009
【図４Ｄ】
2019192292.tif 000010
【図５】
2019192292.tif 000011
【図６】
2019192292.tif 000012